(57)【要約】【課題】前後支持枠を収納した時に、手指が挟まれて負傷することを回避できる腰突き出し用椅子を提供する。【解決手段】座る又は寝そべることが可能な椅子枠と、椅子枠に枢着される支持枠とを含み、支持枠は前支持枠、後ろ支持枠を含む、腰突き出し用椅子における挟み込み防止構造において、後ろ支持枠は所定位置に接続ブロックが固定的に設けてあり、接続ブロックの一端の後ろ支持枠が接続された箇所から所定距離だけ遠ざかった箇所に前支持枠が枢着してあることにより、収納したときに前支持枠と後ろ支持枠との間には隙間が存在し、更に前支持枠と後ろ支持枠との所定位置に前支持枠と後ろ支持枠とを連結し且つ取外し可能な収納ロッドが設けてあり、収納ロッドの一端を取外せば前支持枠と後ろ支持枠とを折り畳んで収納することができ、且つその間に隙間が存在するので手指がそれらに挟まれて負傷することを回避できる。【選択図】図１
0003110339.tif 000002
【実用新案登録請求の範囲】
【請求項１】
座る又は寝そべることが可能な椅子枠と、前記椅子枠に枢着される支持枠とを含み、前記支持枠は寄り掛かることが可能な前支持枠、後ろ支持枠を含む、腰突き出し用椅子における挟み込み防止構造において、
前記後ろ支持枠は、所定位置に接続ブロックが固定的に設けてあり、前記接続ブロックの一端の前記後ろ支持枠が接続された箇所から所定距離だけ遠ざかった箇所に前支持枠が枢着してあることにより、収納したときに、前記前支持枠と後ろ支持枠との間には隙間が存在し、更に、前記前支持枠と後ろ支持枠との所定位置には、前記前支持枠と後ろ支持枠とを連結し且つ取外し可能な収納ロッドが設けてあり、これにより、前記収納ロッドの一端を取外せば前記前支持枠と後ろ支持枠とを折り畳んで収納することができ、且つその間に隙間が存在するので、手指がそれらに挟まれて負傷することを回避できることを特徴とする、
腰突き出し用椅子における挟み込み防止構造。
【請求項２】
前記椅子枠と、前記前支持枠、前記後ろ支持枠との間には少なくとも一本の弾性ロープが設けてあることにより、前記椅子枠が傾いた後の回復力を向上することができ、操作が便利になることを特徴とする、請求項１に記載の腰突き出し用椅子における挟み込み防止構造。
【考案の詳細な説明】
【技術分野】
【０００１】
本考案は腰突き出し用椅子における挟み込み防止構造に係り、特に一つの接続ブロックと、収納ロッドと、前後支持枠とを備え、前後支持枠を収納した時に両者間に隙間が発生することにより、手指が挟まれて負傷することを回避できる、腰突き出し用椅子における挟み込み防止構造に関するものである。
【背景技術】
【０００２】
まず、図６乃至図９を参照する。従来の腰突き出し用椅子は、Ｌ字形を呈し、寝そべることができる背もたれ枠３０と、前記背もたれ枠３０のＬ字形の角部に設けたＵ字形の支持枠３１と、前記背もたれ枠３０の両側に固定され背部へ延在した第一支持枠３２と、前記第一支持枠３２の所定箇所に枢着し前記背もたれ枠３０の前へ延在し地面に当接した第二支持枠３３と、前記第二支持枠３３の下面に近接する両側にそれぞれ設けてある一つの支持ロッド３４とを含み、前記支持ロッド３４の他端が前記背もたれ枠３０の所定箇所に固定されることにより、前記背もたれ枠３０が前記支持ロッド３４に支持され、また、前記第一支持枠３２と第二支持枠３３との地面に当接した水平ロッドには弾性ロープ３５がそれぞれ一本ずつ掛けてあり、二本の前記弾性ロープ３５の他端が前記Ｕ字形支持枠３１の所定箇所に掛けてあり、前記背もたれ枠３０が傾倒されるときには、前記Ｕ字形支持枠３１がある角度に旋回し二本の前記弾性ロープ３５は圧縮され又は伸張された状態になることにより、前記背もたれ枠３０が元の状態に回復されるような力が生じる。
【０００３】
前記第一支持枠３２の所定位置に第一レバー３２１が枢着してあり、また、前記第二支持枠３３には第一支持枠３２で第一レバー３２１が枢着された箇所に対応して第二レバー３３１が枢着してあり、前記第一レバー３２１を第二レバー３３１に枢着し、前記第一レバー３２１と第二レバー３３１とを直線のように展開したときには、第一支持枠３２と第二支持枠３３とが相互に接続し、前記背もたれ枠３０を支持することができる。
【０００４】
使用者が上記の、従来の腰突き出し用椅子を折り畳もうとするときには、一つの手で第二支持枠３３を握って、他の手指の指で第一レバー３２１と第二レバー３３１との枢着する箇所の底部を上へ押し上げると、第二支持枠３３が第一支持枠３２の方へ移動し、これにより、収納作業が完了する。
【考案の開示】
【考案が解決しようとする課題】
【０００５】
しかしながら、これには次のような欠点があった。
（イ）第二支持枠３３を折り畳むときに、使用者は指で第一レバー３２１と第二レバー３３１との枢着する箇所の底部を上へ押し上げるため、第一レバー３２１と第二レバー３３１とが鋏のようになり、このとき、指は二つの前記レバーに挟まれて負傷し易い。そして第一レバー３２１と第二レバー３３１とを第一支持枠３２と第二支持枠３３とに枢着する設計により、前記背もたれ枠３０を旋回させるときに動作が大きすぎる場合には、第二支持枠３３は浮き上がってしまう可能性があり、だから、第一レバー３２１と第二レバー３３１とが平行状態に維持できなくなり、第一支持枠３２と第二支持枠３３との間の距離が小さくなり、重心が不安定になることにより、使用者が倒れて負傷することがあった。
【０００６】
（ロ）第二支持枠３３を折り畳むときに、第二支持枠３３と第一支持枠３２とは枢着状態であり、二つの支持枠の枢着箇所では隙間がないので、第二支持枠３３を第一支持枠３２に寄せるときには、使用者の手指は第一支持枠３２に押されて負傷し易く、酷い場合には、指を断裂してしまうこともあった。
【０００７】
（ハ）従来のものにおける二本の弾性ロープ３５は、長期に運動する使用者（ベテラン）に適用するものであり、初心者にとっては、ある角度までに傾斜した背もたれ枠３０は操作し易いが、身体を起こそうとするときには、二本の弾性ロープ３５の弾性によっては前記背もたれ枠３０を引き戻すことができず、弾性ロープ３５の本数が不足しているのであるが、弾性ロープ３５の本数を勝手に増減することができないので、実用性が悪かった。
【課題を解決するための手段】
【０００８】
上記欠点を解決するためになされた本考案は、座る又は寝そべることが可能な椅子枠と、前記椅子枠に枢着される支持枠とを含み、前記支持枠は寄り掛かることが可能な前支持枠、後ろ支持枠を含む、腰突き出し用椅子における挟み込み防止構造において、前記後ろ支持枠は、所定位置に接続ブロックが固定的に設けてあり、前記接続ブロックの一端の前記後ろ支持枠が接続された箇所から所定距離だけ遠ざかった箇所に前支持枠が枢着してあることにより、収納したときに、前記前支持枠と後ろ支持枠との間には隙間が存在し、更に、前記前支持枠と後ろ支持枠との所定位置には、前記前支持枠と後ろ支持枠とを連結し且つ取外し可能な収納ロッドが設けてあり、これにより、前記収納ロッドの一端を取外せば前記前支持枠と後ろ支持枠とを折り畳んで収納することができ、且つその間に隙間が存在するので、手指がそれらに挟まれて負傷することを回避できることを特徴とする、腰突き出し用椅子における挟み込み防止構造であることを要旨としている。
【０００９】
本考案では、前記椅子枠と、前記前支持枠、前記後ろ支持枠との間には少なくとも一本の弾性ロープが設けてあることにより、前記椅子枠が傾いた後の回復力を向上することができ、操作が便利になることを特徴とする、請求項１に記載の腰突き出し用椅子における挟み込み防止構造であることを要旨としている。
【考案の効果】
【００１０】
本考案に係る腰突き出し用椅子における挟み込み防止構造によれば、次のような効果がある。
【００１１】
（イ）本考案の腰突き出し用椅子を収納する際は、螺着素子２５２を取外し、収納ロッド２３の取外し端を貫通孔２２１の位置まで旋回して前記螺着素子２５２で固定するが、これにより、前支持枠２５が自由状態になり収納することができ、この方法により、従来のように鋏状のレバーに手指が挟まれて負傷することがなく、且つ前記収納ロッド２３の存在により、前支持枠２５と後ろ支持枠２２とを展開した際の距離が一定になり、従って、前記背もたれ枠３０を旋回させるときに動作が大きすぎても、二つの支持枠の距離が一定であるので使用者が倒れて負傷することはあり得ないため、使用における安全性を向上できる。
【００１２】
（ロ）前記前支持枠２５は、接続ブロック２４の一端に枢着され、前記接続ブロック２４は、前記前支持枠２５が前記後ろ支持枠２２と一定距離を維持するよう構成されているので、前支持枠２５を後ろ支持枠２２に寄せるときには両者間に隙間２４１が生じ、これにより、使用者の手指は後ろ支持枠２２に押されて負傷することがなく、ひいては指を断裂することも起こり得ないため、使用における安全性を向上できる。
【００１３】
（ハ）本考案の腰突き出し用椅子では、前支持枠２５と、中央支持枠１３と、後ろ支持枠２２との間には六本の弾性ロープ２８が設けてあり、且つ使用者の状況に応じて弾性ロープ２８の本数を増減することができるため、例えば、初心者の場合には、弾性ロープ２８を六本設け、ベテランの場合には、弾性ロープ２８を四本だけ設ければ十分であるなど、使用におけるフレキシビリティが極めて大きい。
【考案を実施するための最良の形態】
【００１４】
以下、添付図面を参照して本考案の好適な実施の形態を詳細に説明する。
【００１５】
まず、図１乃至図５を参照する。本考案に係る腰突き出し用椅子における挟み込み防止構造は、一つの椅子枠１０と、一つの支持枠２０とから構成されたものである。
【００１６】
前記椅子枠１０は、コ字形の座席支持枠１１を含み、前記座席支持枠１１の中央部には使用者の足部がレストできる外側へ延在した当接ロッド１１１が設けてあり、前記当接ロッド１１１と座席支持枠１１との接続する箇所の底面には第一ラグ１１２が設けてあり、更に、前記座席支持枠１１の二つの自由端では一つのＴ字形の支持枠１２がそれぞれ枢着し設けてあり、また、中央支持枠１３の二つの自由端は前記支持枠１２に枢着することにより座席支持枠１１と連接し、なお、前記支持枠１２の座席支持枠１１と接続する端の反対側には、使用者が寝そべることができる背もたれ枠１４が設けてあり、また、二つの自由端がそれぞれ前記背もたれ枠１４の上端に設けた握り枠１４１が設けてあり、これにより、使用が極めて便利になる。
【００１７】
前記支持枠２０は、使用者が手で握ることができる円弧形を呈する手すりロッド２１が二つ設けてあり、前記手すりロッド２１の一端が前記後ろ支持枠２２の自由端と接続され、さらに前記後ろ支持枠２２は背もたれ枠１４の所定位置に設けられ、また、前記後ろ支持枠２２の底面に近接する箇所では貫通孔２２１が開けてあり、前記貫通孔２２１から所定距離に離れた箇所では収納ロッド２３が螺着素子２５２で螺着してあり、また、前記後ろ支持枠２２の二つの頂端には接続ブロック２４がそれぞれ設けてあり、二つの接続ブロック２４の一端が前支持枠２５の自由端にそれぞれ枢着し、これにより、前記前支持枠２５を自在に折り畳むことができ、なお、前記前支持枠２５には一つの固定孔２５１が開けてあり、前記固定孔２５１は収納ロッド２３が前記後ろ支持枠２２に螺着された箇所と対応し、前記収納ロッド２３を、後ろ支持枠２２の他端に寄せて、螺着素子２５２で固定孔２５１に螺着し、これにより、前記収納ロッド２３は前記前支持枠２５と後ろ支持枠２２とに連接され、前記前支持枠２５と後ろ支持枠２２とが展開されて使用できる状態になり、一方、前記前支持枠２５の第一ラグ１１２と対応する箇所では第二ラグ２５３が設けてあり、前記第二ラグ２５３には一つの連結ロッド２６が枢着してあり、且つ前記連結ロッド２６の他端が前記第一ラグ１１２に枢着され、これにより、前記連結ロッド２６は使用者が寝そべることができる座席支持枠１１を支持する。
【００１８】
前記前支持枠２５と、中央支持枠１３と、後ろ支持枠２２の、地面に近接する水平部分および連結ロッド２６とには、同様な、対向する枢着ラグ２７が複数個設けてあり、対向する各枢着ラグ２７の間に一本の弾性ロープ２８を設けることにより、前支持枠２５と中央支持枠１３との間には三本の弾性ロープ２８を設けることができ、さらに、中央支持枠１３と後ろ支持枠２２との間にも同様のように三本の弾性ロープ２８を設けることができ、これにより、使用者が腰を突き出すときに前記弾性ロープ２８は、背もたれ枠１４を下方へ押す力を増加することができ、使用者が起きる際の押し力を提供できる。
【００１９】
また、二つの接続ブロック２４にはカバー２９がそれぞれ設けてあり、前記カバー２９は、前支持枠２５と接続ブロック２４との枢着する箇所を綺麗に見せる効果を有し、且つ使用者の衣服の糸が枢着箇所に巻き付くことを回避することもでき、前支持枠２５を容易に折り畳むことができる。
【００２０】
上記の説明から明らかなように、使用者は、椅子枠１０に座って足部を当接ロッド１１１にレストするときには、握り枠１４１を握って身体を後ろへ傾斜させ、背もたれ枠１４がある角度に旋回され、このとき、中央支持枠１３が前支持枠２５側へある角度、旋回するが、前記中央支持枠１３は、弾性ロープ２８の弾力の影響により、前記背もたれ枠１４の押し下げには抵抗が発生し、逆に、使用者が起きようとするときには、前記中央支持枠１３と後ろ支持枠２２との間にある弾性ロープ２８が収縮する力が作用するため、これにより、前記背もたれ枠１４が元の状態に容易に回復することができる。
【００２１】
また、本考案に係る腰突き出し用椅子を収納しようとするときには、まず、収納ロッド２３を前支持枠２５に螺着する螺着素子２５２を取外し、前記収納ロッド２３の取外し端を貫通孔２２１に合わせて前記螺着素子２５２によって螺着し、これにより、前記前支持枠２５が自在状態になり後ろ支持枠２２に寄せることができ、そうすると、収納作業が簡単に完了する。
【産業上の利用可能性】
【００２２】
本考案の腰突き出し用椅子における挟み込み防止構造は、以下に示すような効果を奏し、産業界に寄与すること大である。
【００２３】
（イ）本考案の腰突き出し用椅子を収納する際に、従来のように鋏状のレバーに手指を挟まれて負傷することがなく、又、収納ロッド２３にて前後支持枠を固定することにより、背もたれ枠３０を旋回させるときに動作が大きすぎても前後支持枠の距離が一定であるので使用者が倒れて負傷することはあり得ないため、使用における安全性を向上できる。
【００２４】
（ロ）本考案の腰突き出し用椅子では、接続ブロック２４は、前支持枠２５が後ろ支持枠２２と一定距離を維持するよう構成されているので、前支持枠２５を後ろ支持枠２２に寄せるときに両者間に隙間２４１が生じ、これにより、使用者の手指は後ろ支持枠２２に押されて負傷することがなく、ひいては指を断裂することも起こり得ないため、使用における安全性を向上できる。
【００２５】
（ハ）本考案の腰突き出し用椅子では、前支持枠２５と、中央支持枠１３と、後ろ支持枠２２との間には六本の弾性ロープ２８が設けてあり、且つ使用者の状況に応じて弾性ロープ２８の本数を増減することができるため、例えば、初心者の場合には、弾性ロープ２８を六本設け、ベテランの場合には、弾性ロープ２８を四本だけ設けると十分であるなど、使用におけるフレキシビリティが極めて大きい。
【図面の簡単な説明】
【００２６】
【図１】本考案の斜視概略図である。
【図２】本考案の側面概略図である。
【図３】本考案に係る前支持枠を折り畳んだ状態の一部の拡大概略図である。
【図４】本考案に係る収納ロッドと前支持枠とを折り畳んだ状態の概略図である。
【図５】本考案により腰を突き出した状態の斜視概略図である。
【図６】従来のものの斜視概略図である。
【図７】従来のものの折り畳んだ状態の一部の概略図である。
【図８】従来のものの折り畳んだ状態の一部の拡大概略図である。
【図９】従来のものの折り畳んだ状態で手が挟まれたことを示す概略図である。
【符号の説明】
【００２７】
１０      椅子枠
１１      座席支持枠
１１１    当接ロッド
１１２    第一ラグ
１２      支持枠
１３      中央支持枠
１４      背もたれ枠
１４１    握り枠
２０      支持枠
２１      手すりロッド
２２      後ろ支持枠
２２１    貫通孔
２３      収納ロッド
２４      接続ブロック
２４１    隙間
２５      前支持枠
２５１    固定孔
２５２    螺着素子
２５３    第二ラグ
２６      連結ロッド
２７      枢着ラグ
２８      弾性ロープ
２９      カバー
３０      背もたれ枠
３１      Ｕ字形支持枠
３２      第一支持枠
３２１    第一レバー
３３      第二支持枠
３３１    第二レバー
３４      支持ロッド
３５      弾性ロープ
【図１】
0003110339.tif 000003
【図２】
0003110339.tif 000004
【図３】
0003110339.tif 000005
【図４】
0003110339.tif 000006
【図５】
0003110339.tif 000007
【図６】
0003110339.tif 000008
【図７】
0003110339.tif 000009
【図８】
0003110339.tif 000010
【図９】
0003110339.tif 000011